(57)【要約】【課題】  単純な手段で建物の壁面への防水を行うことができる防水方法および防水構造を提供する。【解決手段】  建物Ｔの壁面Ｈに形成された穴１と該穴１から外方へ突出される筒状体２との間に形成される隙間Ｓを塞ぐに当たって、断面Ｌ字状を呈する防水粘着テープ３を、前記建物Ｔの壁面Ｈと前記筒状体２の側面とに同時に貼着するようにして、断面Ｌ字状の防水粘着テープ３を貼着するという簡易な手法によって、建物Ｔの壁面Ｈに形成された穴１と該穴１から外方へ突出される筒状体２との間に形成される隙間Ｓを塞ぐことができるようにしている。【選択図】        図３
2013167059.tif 000002
【特許請求の範囲】
【請求項１】
建物の壁面に形成された穴と該穴から外方へ突出される筒状体との間に形成される隙間を塞ぐに当たって、断面Ｌ字状を呈する防水粘着テープを、前記建物の壁面と前記筒状体の側面とに同時に貼着するようにしたことを特徴とする建物壁面の防水方法。
【請求項２】
建物の壁面に形成された穴から外方へ突出される筒状体とを備え、前記穴と前記筒状体との間に形成される隙間を塞ぐ建物壁面の防水構造において、断面Ｌ字状を呈する防水粘着テープを、前記建物の壁面と前記筒状体の側面とに貼着したことを特徴とする建物壁面の防水構造。
【発明の詳細な説明】
【技術分野】
【０００１】
本願発明は、建物壁面の防水方法および建物壁面の防水構造に関し、さらに詳しくは、建物壁面に突出するパイプ等の周囲に対して防水を行うための建物壁面の防水方法および建物壁面の防水構造に関するものである。
【背景技術】
【０００２】
一般に、建物の壁面には、各種の筒状体（例えば、換気用パイプ等）が突出されており、この筒状体は、壁面に形成された開口を介して建物外に突出せしめられている。すると、前記開口と筒状体との隙間から雨水等が内部に侵入するおそれがある。そこで、当該箇所に対して防水処理を施す必要がある。
【０００３】
例えば、建物の壁面から突出している筒状体（例えば、換気用パイプ等）と壁面に形成された開口との隙間を塞ぐために、壁面に対して所定面積を有する防水シートを貼設して前記隙間を防水シートで被覆する試みがなされている。
【発明の概要】
【発明が解決しようとする課題】
【０００４】
上記したような防水方法では、建物の壁面に貼設した防水シートが風雨等により剥がれてしまうおそれがあるところから、防水シートを、筒状体の外周面と壁面とに固定する必要があり、そのための固定手段が別に必要となる。すると、防水方法が複雑化し、手間もかかってしまうという問題が生ずるとともに、防水構造に用いられる部材が増えてしまうという問題も生ずる。。
【０００５】
この出願の発明は、このような事情に基づいてなされたもので、単純な手段で建物の壁面への防水を行うことができる防水方法および防水構造を提供することを目的とする。
【課題を解決するための手段】
【０００６】
本願発明では、上記課題を解決するための第１の手段として、建物の壁面に形成された穴と該穴から外方へ突出される筒状体との間に形成される隙間を塞ぐに当たって、断面Ｌ字状を呈する防水粘着テープを、前記建物の壁面と前記筒状体の側面とに同時に貼着するようにしている。
【０００７】
上記のような方法を採用したことにより、断面Ｌ字状の防水粘着テープを貼着するという簡易な手法によって、建物の壁面に形成された穴と該穴から外方へ突出される筒状体との間に形成される隙間を塞ぐことができる。
【０００８】
本願発明では、上記課題を解決するための第２の手段として、建物の壁面に形成された穴から外方へ突出される筒状体とを備え、前記穴と前記筒状体との間に形成される隙間を塞ぐ建物の防水構造において、断面Ｌ字状を呈する防水粘着テープを、前記建物の壁面と前記筒状体の側面とに貼着している。
【０００９】
上記のように構成したことにより、建物の壁面と該建物の壁面に形成された穴から突出する筒状体の側面とに断面Ｌ字状の防水粘着テープを貼着するだけで、建物の壁面に形成された穴と該穴から突出する筒状体との間の隙間を介して雨水等が侵入するのを防止することが可能となる。従って、建物の壁面への防水を簡易な構造で完璧に行うことができる。
【発明の効果】
【００１０】
本願発明の第１の手段によれば、建物の壁面に形成された穴と該穴から外方へ突出される筒状体との間に形成される隙間を塞ぐに当たって、断面Ｌ字状を呈する防水粘着テープを、前記建物の壁面と前記筒状体の側面とに同時に貼着するようにしているので、断面Ｌ字状の防水粘着テープを貼着するという簡易な手法によって、建物の壁面に形成された穴と該穴から外方へ突出される筒状体との間に形成される隙間を塞ぐことができ、建物の壁面への防水を簡易な手法で行うことができるという効果がある。
【００１１】
本願発明の第２の手段によれば、建物の壁面に形成された穴から外方へ突出される筒状体とを備え、前記穴と前記筒状体との間に形成される隙間を塞ぐ建物の防水構造において、断面Ｌ字状を呈する防水粘着テープを、前記建物の壁面と前記筒状体の側面とに貼着して、建物の壁面と該建物の壁面に形成された穴から突出する筒状体の側面とに断面Ｌ字状の防水粘着テープを貼着するだけで、建物の壁面に形成された穴と該穴から突出する筒状体との間の隙間を介して雨水等が侵入するのを防止することができるようにしたので、建物の壁面への防水を簡易な構造で完璧に行うことができるという効果がある。
【図面の簡単な説明】
【００１２】
【図１】本願発明の実施の形態にかかる建物壁面の防水構造を示す斜視図である。
【図２】本願発明の実施の形態にかかる建物壁面の防水構造を示す断面図である。
【図３】本願発明の実施の形態にかかる建物壁面の防水構造を形成する手順を示すものであり、（イ）は、防水粘着テープを貼着する前の状態を示す断面図、（ロ）は、防水粘着テープの部分拡大斜視図、（ハ）は、防水処理が完成した状態を示す断面図である。
【図４】本願発明の実施の形態にかかる建物壁面の防水構造に用いられる防水粘着テープの保管状態を示す断面図である。
【発明を実施するための形態】
【００１３】
以下、添付の図面を参照して、本願発明の好適な実施の形態について説明する。
【００１４】
図１ないし図３には、本願発明の実施の形態にかかる建物壁面の防水構造および防水方法が示されている。
【００１５】
この建物壁面の防水構造は、図１ないし図３に示すように、建物Ｔの壁面Ｈに形成された穴１と該穴１から外方へ突出される筒状体２との間に形成される隙間Ｓを塞ぐものであり、断面Ｌ字状を呈する防水粘着テープ３が、前記建物Ｔの壁面Ｈと前記筒状体２の側面とに貼着されている。
【００１６】
上記筒状体２としては、例えば換気用パイプ等が採用されており、円筒形状とされている。一方、上記防水粘着テープ３は、図３（ロ）に示すように、粘着材からなる貼着層の表面に防水性を有するテープ層を形成してなり、上記壁面Ｈに対して貼着される垂直部３ａと、該垂直部３ａに対して直角に屈曲形成されて上記筒状体２の側面に対して貼着される水平部３ｂとからなっている。ここで、防水粘着テープ３における垂直部３ａの幅寸法と水平部３ｂの幅寸法とは同じ寸法とするのが望ましい。なお、前記防水粘着テープ３の材質は、ブチルゴム系のものが望ましい。
【００１７】
次に、上記構成の建物壁面の防水構造を形成する手順について、図３を参照して説明する。
【００１８】
図３（イ）に示すように、建物Ｔの壁面Ｈに形成された穴１から円筒形状の筒状体２が突出された状態において、上記穴１と筒状体２との間に形成される隙間Ｓを塞ぐに当たって、図３（ロ）に示す防水粘着テープ３を用い、その垂直部３ａおよび水平部３ｂを前記建物Ｔの壁面Ｈと前記筒状体２の側面とに同時に貼着することにより建物壁面の防水処理が完成する。なお、前記防水粘着テープ３は、図４に示すように、心材４を中心として多重巻きとした状態で保管される。
【００１９】
上記のように構成したことにより、建物Ｔの壁面Ｈと該建物Ｔの壁面Ｈに形成された穴１から突出する筒状体２の側面とに断面Ｌ字状の防水粘着テープ３を貼着するだけで、建物Ｔの壁面Ｈに形成された穴１と該穴１から突出する筒状体２との間の隙間Ｓを介して雨水等が侵入するのを防止することが可能となる。従って、建物Ｔの壁面Ｈへの防水を簡易な構造で完璧に行うことができる。
【００２０】
本願発明は、上記実施の形態に限定されるものではなく、発明の要旨を逸脱しない範囲において適宜設計変更可能なことは勿論である。
【符号の説明】
【００２１】
１は穴
２は筒状体
３は防水粘着テープ
Ｈは壁面
Ｓは隙間
Ｔは建物
【図１】
2013167059.tif 000003
【図２】
2013167059.tif 000004
【図３】
2013167059.tif 000005
【図４】
2013167059.tif 000006